(57)【要約】【課題】簡易な操作によって詰替え容器の詰替え流出口を被詰替え容器の口首部に連通させて、安定した状態で内容物を被詰替え容器に詰め替えさせる詰替え容器用栓体を提供する。【解決手段】詰替え容器１１の口首部１２に取り付けて用いられる詰替え容器用栓体１０であって、栓本体１７と栓蓋１８とからなる。栓本体１７は、流出開口１７ｂを囲んで突出する流出筒１７ｃと装着筒１７ｄとを備える。栓蓋１８は、装着筒１７ｄの内周面に密着する装着壁面部１８ａと、閉塞板部１８ｂと、押込み凸部１８ｃとを備える。押込み凸部１８ｃを、流出開口１７ｂの開口周縁部から流出筒１７ｃの径方向外側まで切欠き形成された挿通口１９を介して、天面板１７ｂから流出筒１７ｃに沿って流出方向外側に突出させ、且つ押込み凸部１８ｃの先端面１８ｄの一部を、流出筒１７ｃの外周面よりも径方向外側に配置した状態で、栓蓋１８が栓本体１７に装着されている。【選択図】図４
2014129140.tif 000002
【特許請求の範囲】
【請求項１】
被詰替え容器に内容物を詰め替えるための、詰替え容器の詰替え流出口を覆って取り付けられる詰替え容器用栓体であって、
前記詰替え流出口の開口周縁部分に接合固定される栓本体と、該栓本体の天面板に開口形成された流出開口を流出方向内側から閉塞して、栓本体に着脱可能に装着される栓蓋とからなり、
前記栓本体は、前記流出開口を囲んで前記天面板から流出方向外側に突出する流出筒と、前記流出開口を囲んで前記天面板から流出方向内側に突出する装着筒とを備えており、
前記栓蓋は、外周面が前記装着筒の内周面に密着する装着壁面部と、前記装着筒の中空断面形状と同様の平面形状を有する閉塞板部と、該閉塞板部の周縁部分から立設する押込み凸部とを備えており、
前記押込み凸部を、前記流出開口の開口周縁部に連続して切欠き形成された挿通口、又は前記流出開口に隣接して形成された挿通口を介して、前記天面板から前記流出筒に沿って流出方向外側に突出させた状態で、前記栓蓋が前記栓本体に装着されている詰替え容器用栓体。
【請求項２】
前記押込み凸部を、前記流出開口の開口周縁部に連続して前記流出筒の径方向外側まで切欠き形成された挿通口、又は前記流出筒の径方向外側に隣接して開口形成された挿通口を介して、前記天面板から前記流出筒に沿って流出方向外側に突出させ、且つ前記押込み凸部の先端面の少なくとも一部を、前記流出筒の外周面よりも径方向外側に配置した状態で、前記栓蓋が前記栓本体に装着されている請求項１記載の詰替え容器用栓体。
【請求項３】
前記流出筒の径方向外側に配置されて、前記被詰替え容器の口首部の外周形状に沿った内周形状部分を有するガイト外壁が、前記天面板から流出方向外側に突出して前記栓本体に設けられている請求項２項記載の詰替え容器用栓体。
【請求項４】
前記被詰替え容器の口首部の内周形状に沿った外周形状部分を有するガイト内壁が、前記天面板から流出方向外側に突出して前記栓本体に設けられている請求項２又は３記載の詰替え容器用栓体。
【請求項５】
前記流出筒が、前記挿通口よりも径方向外側に設置されている請求項１記載の詰替え容器用栓体。
【請求項６】
前記押込み凸部を突出させる前記栓本体に形成された挿通口が、前記装着筒の径方向内側に形成されている請求項１〜５のいずれか１項記載の詰替え容器用栓体。
【請求項７】
内容物を詰め替える際に、前記流出筒の外周面又は内周面を前記被詰替え容器の口首部に沿わせるようにして、前記詰替え容器に取り付けられた当該栓体を前記被詰替え容器に向けて押し込むことで、先端面に前記被詰替え容器の口首部の端面部が当接した前記押込み凸部が、前記詰替え容器の内部に押し出されて、前記栓蓋が前記装着筒から脱落することにより、前記流出開口が開放されて、内容物を前記詰替え容器から前記被詰替え容器に流入させる請求項１〜６のいずれか１項記載の詰替え容器用栓体。
【請求項８】
前記栓本体の前記流出筒の中心軸と前記装着筒の中心軸とがずれて配置されている請求項１〜６のいずれか１項記載の詰替え容器用栓体。
【請求項９】
前記押込み凸部を前記流出筒、前記ガイド内壁、前記ガイト外壁のいずれか１つの先端よりも低い高さで突出させて、前記栓蓋が前記栓本体に装着されている請求項１〜８のいずれか１項記載の詰替え容器用栓体。
【請求項１０】
前記栓蓋は、内容物よりも比重の低い材質のものとなっている請求項１〜９のいずれか１項記載の詰替え容器用栓体。
【請求項１１】
前記栓蓋の前記装着壁面部が中空の筒形状を有しており、前記栓蓋の前記閉塞板部が前記装着壁面部の流出方向内側の部分を閉塞していることで、前記装着壁面部及び前記閉塞板部は、流出方向外側に向って開口する凹形状を形成している請求項１〜１０のいずれか１項記載の詰替え容器用栓体。
【請求項１２】
前記ガイト外壁の内側面から内側に突出させて、前記押込み凸部と対する位置に、位置矯正リブが設けられている請求項３〜１１のいずれか１項記載の詰替え容器用栓体。
【請求項１３】
前記位置矯正リブを挟んだ両側の部分に、切り込みが設けられている請求項１２記載の詰替え容器用栓体。
【請求項１４】
前記閉塞板部は、円筒形状部分の流出方向外側の面となる上方の開口端面を覆って一体成形された、円形板状の部分によって形成されている請求項１〜１３のいずれか１項記載の詰替え容器用栓体。
【請求項１５】
前記押込み凸部は、前記円形板状の閉塞板部の周縁部分から、流出方向外側である上方に立設して一体成形されている請求項１４記載の詰替え容器用栓体。
【請求項１６】
請求項１〜１５のいずれか１記載の詰替え容器用栓体を用いた、詰替え容器から被詰替え容器への内容物の詰め替え方法であって、前記流出筒の外周面又は内周面を前記被詰替え容器の口首部に沿わせるようにして、前記詰替え容器に取り付けられた当該栓体を前記被詰替え容器に向けて押し込むことで、先端面に前記被詰替え容器の口首部の端面部が当接した前記押込み凸部が、前記詰替え容器の内部に押し出されて、前記栓蓋が前記装着筒から脱落することにより、前記流出開口が開放されて、内容物を前記詰替え容器から前記被詰替え容器に流入させる内容物の詰め替え方法。
【発明の詳細な説明】
【技術分野】
【０００１】
本発明は、詰替え容器用栓体に関し、特に、被詰替え容器に内容物を詰め替えるための、詰替え容器の詰替え流出口を覆って取り付けられる詰替え容器用栓体に関する。
【背景技術】
【０００２】
近年、各種の液体や、その他の内容物を収納する合成樹脂製の容器についても、環境負荷の低減が図られるようになっており、使用する樹脂量を減らした薄肉の容器が種々開発されている。また、各種の洗剤や食品等を収納する容器として、パウチ等による詰替え容器が多く用いられている。詰替え容器は、収納した内容物を、吐出ノズル部や注出部を備える被詰替え容器に詰め替えたり補充したりすることで、高価な被詰替え容器をその都度廃棄することなく、長期間使用できるようにする。
【０００３】
一方、パウチ等による詰替え容器は、柔軟性や可撓性に富んだ軟包材によって形成されており、詰め替え作業の際に容器が変形し易く、きわめて不安定な状態となり易い。また、詰替え容器による内容物の詰め替え作業は、例えば、ａ）ノズル部の先端を切断する、ｂ）傾けて注ぐ、ｃ）傾けた状態を保持する、ｄ）絞る、ｅ）こぼれないように注意しつつ廃棄する、といった作業ステップによって行われるが、これらの作業ステップによる内容物の詰め替え作業は、多くの手間を要することになると共に、作業中に内容物をこぼし易い。
【０００４】
このようなことから、軟包材によって形成された容器の詰替え流出口を被詰替え容器の口首部に確実に連結して、詰め替え易さを向上させた詰替え容器が提案されている（例えば、特許文献１、特許文献２参照）。特許文献１の詰替え容器では、詰替え流出口に、内周面に雌ねじが形成された筒部を有する栓体が取り付けられており、被詰替え容器の口首部の外周面に形成された雄ねじに、筒部の雌ねじを螺合して、被詰替え容器の口首部に詰替え容器の詰替え流出口を連結するようになっている。
【先行技術文献】
【特許文献】
【０００５】
【特許文献１】特開２００６−８９１３３号公報
【特許文献２】特開２０１２−３０８６０号公報
【発明の概要】
【発明が解決しようとする課題】
【０００６】
しかしながら、特許文献１の詰替え容器では、栓体の筒部の先端開口を覆うキャップやシール部を取り外したり、筒部を被詰替え容器の口首部に螺合する操作を必要とし、作業性に劣ることから、例えばワンアクションの簡易な操作によって、詰替え流出口を被詰替え容器の口首部に容易に且つ確実に連通できるようにすると共に、安定した状態で内容物の詰め替え作業を行えるようにする、新たな技術の開発が望まれている。
【０００７】
特許文献２の詰替え容器では、キャップを開け、挿し込むだけで、詰替え容器を開封でき、容易な操作で詰替え作業を行うことが可能である。一方で、スリット部を開封させる機構のため、開封力を安定にすることが難しい点や更に、複合部材を用いるため、環境面やコスト面に課題がある。
【０００８】
本発明は、詰替え容器に取り付けて用いられ、簡易な操作、及び簡易な力で詰替え容器の詰替え流出口を被詰替え容器の口首部に連通させることができると共に、安定した状態で内容物を被詰替え容器に詰め替えさせることのできる詰替え容器用栓体を提供することを目的とする。
【課題を解決するための手段】
【０００９】
本発明は、被詰替え容器に内容物を詰め替えるための、詰替え容器の詰替え流出口を覆って取り付けられる詰替え容器用栓体であって、前記詰替え流出口の開口周縁部分に接合固定される栓本体と、該栓本体の天面板に開口形成された流出開口を流出方向内側から閉塞して、栓本体に着脱可能に装着される栓蓋とからなり、前記栓本体は、前記流出開口を囲んで前記天面板から流出方向外側に突出する流出筒と、前記流出開口を囲んで前記天面板から流出方向内側に突出する装着筒とを備えており、前記栓蓋は、外周面が前記装着筒の内周面に密着する装着壁面部と、前記装着筒の中空断面形状と同様の平面形状を有する閉塞板部と、該閉塞板部の周縁部分から立設する押込み凸部とを備えており、前記押込み凸部を、前記流出開口の開口周縁部に連続して切欠き形成された挿通口、又は前記流出筒に隣接して開口形成された挿通口を介して、前記天面板から前記流出筒に沿って流出方向外側に突出させた状態で、前記栓蓋が前記栓本体に装着されている詰替え容器用栓体を提供することにより、上記目的を達成したものである。
【発明の効果】
【００１０】
本発明の詰替え容器用栓体によれば、詰替え容器に取り付けて用いられて、簡易な操作、及び簡易な力で詰替え容器の詰替え流出口を被詰替え容器の口首部に連通させることができると共に、安定した状態で内容物を被詰替え容器に詰め替えさせることができる。
【図面の簡単な説明】
【００１１】
【図１】本発明の好ましい第１実施形態に係る詰替え容器用栓体を取り付けた詰替え容器の斜視図である。
【図２】本発明の好ましい第１実施形態に係る詰替え容器用栓体を取り付けた詰替え容器によって、被詰替え容器に内容物を詰め替える状況を説明する斜視図である。
【図３】（ａ）、（ｂ）は、本発明の好ましい第１実施形態に係る詰替え容器用栓体を取り付けた詰替え容器によって、被詰替え容器に内容物を詰め替える状況を説明する断面図である。
【図４】（ａ）は、本発明の好ましい第１実施形態に係る詰替え容器用栓体の斜視図、（ｂ）は断面図である。
【図５】（ａ）は、本発明の好ましい第１実施形態に係る詰替え容器用栓体の栓本体の斜視図、（ｂ）は上面図、（ｃ）は下面図である。
【図６】本発明の好ましい第１実施形態に係る詰替え容器用栓体の蓋体の斜視図である。
【図７】（ａ）は、本発明の好ましい第２実施形態に係る詰替え容器用栓体の斜視図、（ｂ）は断面図である。
【図８】（ａ）は、本発明の好ましい第３実施形態に係る詰替え容器用栓体の斜視図、（ｂ）は断面図である。
【図９】他の形態に係る詰替え容器用栓体の斜視図である。
【図１０】他の形態に係る詰替え容器用栓体の斜視図である。
【図１１】（ａ）は、本発明の好ましい他の形態に係る詰替え容器用栓体の斜視図、（ｂ）は断面図である。
【図１２】本発明の好ましい更に他の形態に係る詰替え容器用栓体の斜視図である。
【図１３】本発明の好ましい更に他の形態に係る詰替え容器用栓体の斜視図である。
【発明を実施するための形態】
【００１２】
本発明の好ましい第１実施形態に係る詰替え容器用栓体１０は、図１〜図３に示すように、詰替え容器１１として例えば薄肉のボトル形状の容器の口首部１２（図３（ａ）、（ｂ）参照）に、これの先端開口による詰替え流出口１２ａを覆って取り付けられる。
【００１３】
また、本第１実施形態の詰替え容器用栓体１０は、詰替え流出口１２ａを封止した状態で詰替え容器１１の口首部１２に一体として固定されており、詰め替え作業の際に、詰替え容器１１の口首部１２と共に被詰替え容器１５の口首部１６に押し込まれることで、好ましくはワンアクションの簡易な操作によって、詰替え流出口１２ａを被詰替え容器１５の口首部１６に連通させる機能を備えると共に、詰替え流出口１２ａから被詰替え容器１５に、内容液を外部に漏れ出させることなくスムーズに流入させる機能を備える。
【００１４】
そして、本第１実施形態の詰替え容器用栓体１０は、被詰替え容器１５に内容物を詰め替えるための、例えば口首部１２の先端開口による詰替え流出口１２ａを覆ってボトル形状の詰替え容器１１に取り付けて用いられる栓部材であって、図４（ａ）、（ｂ）にも示すように、詰替え流出口１２ａの開口周縁部分に接合固定される栓本体１７と、この栓本体１７の天面板１７ａに開口形成された流出開口１７ｂを流出方向内側から閉塞して、栓本体１７に着脱可能に装着される栓蓋１８とからなる。栓本体１７は、流出開口１７ｂを囲んで天面板１７ａから流出方向外側に突出する流出筒１７ｃと、流出開口１７ｂを囲んで天面板１７ａから流出方向内側に突出する装着筒１７ｄとを備えており、栓蓋１８は、外周面が装着筒１７ｄの内周面に密着する装着壁面部１８ａと、装着筒１７ｄの中空断面形状と同様の平面形状を有する閉塞板部１８ｂと、閉塞板部１８ｂの周縁部分から立設する押込み凸部１８ｃとを備えている。押込み凸部１８ｃを、流出開口１７ｂの開口周縁部に連続して、好ましくは流出筒１７ｃの径方向外側まで切欠き形成された挿通口１９（図５（ａ）〜（ｃ）参照）を介して、天面板１７ｂから流出筒１７ｃに沿って流出方向外側に突出させ、且つ好ましくは押込み凸部１８ｃの先端面１８ｄの少なくとも一部を、流出筒１７ｃの外周面よりも径方向外側に配置した状態で、栓蓋１８が栓本体１７に嵌め込まれるようにして装着されている。
【００１５】
図３（ａ）、（ｂ）に示すように、内容物を詰め替える際に、好ましくは流出筒１７ｃの外周面を被詰替え容器１５の口首部１６の内周面に沿わせるようにして、詰替え容器１１に取り付けられた当該栓体１０を被詰替え容器１５に向けて押し込むことで、先端面１８ｄに被詰替え容器１５の口首部１６の端面部が当接した押込み凸部１８ｃが（図３（ａ）参照）、詰替え容器１１の内部に押し出されて、栓蓋１８が装着筒１７ｄから脱落することにより（図３（ｂ）参照）、流出開口１７ｂが開放されて、内容物である例えば液体洗剤等の内容液を、詰替え容器１１から被詰替え容器１５に流入させるようになっている。
【００１６】
また、本第１実施形態の詰替え容器用栓体１０では、図４（ａ）に示すように、流出筒１７ｃの径方向外側に配置されて、被詰替え容器１５の口首部１６の外周形状に沿った内周形状部分２０ａを有するガイト外壁２０が、天面板１７ｂから容器１１の流出方向外側に突出して栓本体１７に設けられている。
【００１７】
さらに、本第１実施形態の詰替え容器用栓体１０では、流出筒１７ｃの押込み凸部１８ｃが突出する部分に外接させるようにして、被詰替え容器１５の口首部１６の内周形状の沿った外周形状部分２１ａを有するガイト内壁２１が、天面板１７ｂから流出方向外側に突出して栓本体１７に設けられている。
【００１８】
本第１実施形態の詰替え容器用栓体１０は、例えばポリプロピレン、ポリエチレン等の合成樹脂や、ポリ乳酸等のバイオプラスチックを用いた金型成形品であって、図４（ａ）、（ｂ）に示すように、好ましくは射出成形方法によって、栓本体１７と栓蓋１８とからなる２パーツの部品として形成されている。
【００１９】
詰替え容器用栓体１０を構成する栓本体１７は、図５（ａ）〜（ｃ）に示すように、流出開口１７ｂが開口形成された円板形状の天面板１７ａと、天面板１７ａの流出方向外側の面である上面から上方に突出して設けられた、略円筒形状の流出筒１７ｃと、天面板１７ａの流出方向内側の面である下面から下方に突出して設けられた、円筒形状の装着筒１７ｄとを備えており、さらに、ガイト外壁２０及びガイト内壁２１と、固定スカート部２２とを含んで一体成形されている。
【００２０】
固定スカート部２２は、円板形状の天面板１７ａの周縁部から下方に突出して設けられた、円筒形状の部分あって、内周面に雌ネジ突条や係合リブ（図示せず）が形成されている。これらの雌ネジ突条や係合リブを、詰替え容器１１の口首部１２の外周面に形成された雄ネジ突条や被係合リブ（図示せず）に係合することで、栓本体１７が、螺合形式や嵌合形式によって、詰替え容器１１の口首部１２に装着固定される（図１参照）。
【００２１】
本第１実施形態では、天面板１７ａに開口形成された流出開口１７ｂは、円形の開口となっており、その中心位置が、天面板１７ａの中心位置から片側にずれた状態で設けられている。天面板１７ａの中心位置から片側にずれた方向とは反対方向の部分における、流出開口１７ｂの開口周縁部を切り欠くことで、略矩形形状の挿通口１９が、当該開口周縁部に連続して形成されている。この挿通口１９には、栓蓋１８が栓本体１７に装着された際に、栓蓋１８の押込み凸部１８ｃが挿通される。
【００２２】
流出筒１７ｃは、本第１実施形態では、天面板１７ａの上面における円形の流出開口１７ｂの開口周縁部から上方に突出して、中心位置を天面板１７ａの中心から片側にずらせた状態で、流出開口１７ｂの周囲を囲んで略円筒形状を備えるように設けられている。また流出筒１７ｃは、挿通口１９と交差する部分が、分断部２３として切り欠かれた状態で設けられている。これによって、挿通口１９は、分断部２３を介して、流出筒１７ｃの径方向外側にはみ出すように開口形成されている。
【００２３】
装着筒１７ｄは、本第１実施形態では、円形の流出開口１７ｂ及びこれと連続する挿通口１９の周囲を一体として環状に囲うと共に、好ましくは天面板１７ａと同心状に配置されて、天面板１７ａの下面から下方に突出して略円筒形状を有するように設けられている（図５（ｃ）参照）。これによって、流出筒１７ｃと装着筒１７ｄとは、天面板１７ａの上面側や下面側に、中心位置をずらせて、異なる大きさの筒形状となるように設けられている。
【００２４】
本第１実施形態では、さらに、天面板１７ｂから流出方向外側に突出して、ガイト外壁２０とガイト内壁２１とが設けられている。ガイト外壁２０は、本第１実施形態では、被詰替え容器１５の口首部１６が円筒形状を有していることから（図２参照）、被詰替え容器１５の口首部１６の外周形状に沿った形状として、円弧状の内周形状部分２０ａを内周面の全体に備える、円弧状の壁板部分となっている。ガイト外壁２０は、流出筒１７ｃの分断部２３と近接する部分において、内周面の内周形状部分２０ａと流出筒１７ｃとの間に、被詰替え容器１５の口首部１６の肉厚よりも僅かに大きな間隔を保持すると共に、分断部２３と近接する部分の両側に、口首部１６の外径と略同様の曲率半径で湾曲させた状態で、天面板１７ｂの周縁部分に延設して設けられている。
【００２５】
ガイト外壁２０が設けられていることにより、内容物を詰め替える際に、当該ガイト外壁２０の内周形状部分２０ａを被詰替え容器１５の口首部１６の外周面に沿わせることでガイドさせて、流出筒１７ｃの外周面を被詰替え容器１５の口首部１６の内周面に沿わせながら詰替え容器用栓体１０を被詰替え容器１５に向けて押し込む操作を、より安定した状態で行うことが可能になると共に、被詰替え容器１５の口首部１６の端面部が栓蓋１８の押込み凸部１８ｃの先端面１８ｄに確実に当接するように、よりスムーズに案内することが可能になる。
【００２６】
ガイト内壁２１は、本第１実施形態では、被詰替え容器１５の口首部１６が円筒形状を有していることから（図２参照）、被詰替え容器１５の口首部１６の内周形状に沿った形状として、円弧状の外周形状部分２１ａを外周面の全体に備える、円弧状の壁板部分となっている。ガイト内壁２１は、流出筒１７ｃの分断部２３と重ねて配置される分断部２１ｂによって分断された状態で設けられている。またガイト内壁２１は、押込み凸部１８ｃが突出する部分である流出筒１７ｃの分断部２３に当該分断部２１ｂを重ねることで、分断部２３，２１ｂにおいて流出筒１７ｃに外接するようにして、分断部２３，２１ｂから両側に延設して設けられている。さらに、ガイト内壁２１は、外周形状部分２１ａである外周面を、被詰替え容器１５の口首部１６の内径と略同様の曲率半径で湾曲させた状態で設けられている。これによって、本第１実施形態では、ガイト内壁２１の外周形状部分２１ａと、ガイト外壁２０の内周形状部分２０ａとの間には、被詰替え容器１５の口首部１６の肉厚よりも僅かに大きな間隔が保持されることになる。
【００２７】
ガイト内壁２１が設けられていることにより、内容物を詰め替える際に、当該ガイト内壁２１の外周形状部分２１ａを被詰替え容器１５の口首部１６の内周面に沿わせることでガイドさせて、流出筒１７ｃの外周面を被詰替え容器１５の口首部１６の内周面に沿わせながら詰替え容器用栓体１０を被詰替え容器１５に向けて押し込む操作を、より安定した状態で行うことが可能になると共に、被詰替え容器１５の口首部１６の端面部が栓蓋１８の押込み凸部１８ｃの先端面１８ｄに確実に当接するように、よりスムーズに案内することが可能になる。また、ガイト内壁２１の外周形状部分２１ａと、ガイト外壁２０の内周形状部分２０ａとの間に、被詰替え容器１５の口首部１６の肉厚よりも僅かに大きな間隔が保持されることで、詰替え容器用栓体１０を被詰替え容器１５に向けて押し込む操作を、さらに安定した状態で行うことが可能になると共に、被詰替え容器１５の口首部１６の端面部が栓蓋１８の押込み凸部１８ｃの先端面１８ｄに確実に当接するように、さらにスムーズに案内することが可能になる。
【００２８】
詰替え容器用栓体１０を構成する栓蓋１８は、図４（ａ）、（ｂ）及び図６に示すように、外周面が栓本体１７の装着筒１７ｄの内周面に密着する装着壁面部１８ａと、装着筒１７ｄの中空断面形状と同様の平面形状を有する閉塞板部１８ｂと、閉塞板部１８ｂの周縁部分から上方に立設する押込み凸部１８ｃとからなる。本第１実施形態では、装着壁面部１８ａは、円筒形状の装着筒１７ｄの内径と同様の外径を有する、偏平な円筒形状部分１８ｅの外周面によって形成されている。閉塞板部１８ｂは、円筒形状部分１８ｅの流出方向外側の面となる上方の開口端面を覆って一体成形された、円形板状の部分によって形成されている。押込み凸部１８ｃは、円形板状の閉塞板部１８ｂの周縁部分から、流出方向外側である上方に立設して一体成形された、４角柱部分によって形成されている。
【００２９】
栓蓋１８は、押込み凸部１８ｃ及び閉塞板部１８ｂを流出方向外側に向けて、栓本体１７の流出方向内側から、押込み凸部１８ｃを天面板１７ｂに形成された挿通口１９に挿通させつつ、栓本体１７の装着筒１７ｄに押し込むことで、円筒形状部分１８ｅの外周面による装着壁面部１８ａを装着筒１７ｄの内周面に強固に密着させた状態で、装着筒１７ｄに嵌め込まれることにより、栓本体１７に一体として装着される。またこれによって、栓蓋１８は、挿通口１９に挿通された押込み凸部１８ｃを、流出筒１７ｃに沿って天面板１７ｂから流出方向外側に突出させ、且つ押込み凸部１８ｃの略４角形の先端面１８ｄにおける略半分の部分を、流出筒１７ｃの外周面よりも径方向外側に配置した状態で、栓本体１７に一体として装着される。
【００３０】
ここで、本第１実施形態では、栓蓋１８は、栓本体１７の流出筒１７ｃやガイト内壁２１やガイト外壁２０の先端よりも低い高さで押込み凸部１８ｃを突出させて、栓本体１７に一体として装着されている。押込み凸部１８ｃが、流出筒１７ｃ、ガイト内壁２１、ガイト外壁２０のいずれか１つの先端よりも低い高さで突出していることにより、例えば詰替え容器１１の落下等によって、詰替え容器用栓体１０の先端が床面等に衝突した際に、衝突時の荷重を流出筒１７ｃやガイト内壁２１やガイト外壁２０によって受けることで、衝突時の荷重が押込み凸部１８ｃを介して栓蓋１８に伝わるのを効果的に回避することが可能になる。これによって、栓蓋１８が栓本体１７に対して不用意に移動することで、栓蓋１８が装着筒１７ｄから外れて、内容液が流出することを効果的に回避することが可能になるとともに、店頭で陳列される際に栓蓋の押込み部分が故意に押されて、誤開封されてしまい、内容液が流出することを効果的に回避することが可能になる。
【００３１】
また、栓蓋１８は、詰替え容器１１に収容された詰替え用の内容液よりも、比重の低い材質のものとなっていることが好ましい。栓蓋１８が内容液よりも比重の低い材質のものとなっていることにより、内容物を詰め替える際に、詰替え容器１１を倒立状態として、詰替え容器用栓体１０を被詰替え容器１５に向けて押し込むことによって装着筒１７ｄから脱落した後に詰替え容器１１の内部に押し出された栓蓋１８は、収容された内容液による浮力の作用によって、上方に移動しようとするので、押し出された栓蓋１８によって流出開口１７ｂを介した内容液の流出が阻害されるのを、効果的に回避することが可能になる。
【００３２】
上述の構成を備える本第１実施形態の詰替え容器用栓体１０は、栓蓋１８を流出方向内側から装着筒１７ｄに装着することにより、流出開口１７ｂを閉塞して栓蓋１８が栓本体１７に一体として取り付けられた状態で、栓本体１７の固定スカート部２２を介して詰替え容器１１の口首部１２に接合固定して用いられる（図１〜図３参照）。
【００３３】
そして、本第１実施形態の詰替え容器用栓体１０によれば、詰替え容器１１の口首部１２に取り付けて用いられて、簡易な操作、及び簡易な力によって詰替え容器１１の口首部１２の先端の詰替え流出口１２ａを、被詰替え容器１５の口首部１６に連通させることが可能になると共に、安定した状態で内容液を被詰替え容器１５に詰め替えさせることが可能になる。
【００３４】
すなわち、本第１実施形態によれば、詰替え容器用栓体１０は、栓本体１７と、栓蓋１８とからなり、栓本体１７は、流出開口１７ｂを囲んで天面板１７ａから流出方向外側に突出する流出筒１７ｃと、流出開口１７ｂを囲んで天面板１７ａから流出方向内側に突出する装着筒１７ｄとを備えており、栓蓋１８は、装着筒１７ｄの内周面に密着する装着壁面部１８ａと、閉塞板部１８ｂと、閉塞板部１８ｂから立設する押込み凸部１８ｃとを備えており、押込み凸部１８ｃを、挿通口１９を介して、天面板１７ｂから流出筒１７ｃに沿って流出方向外側に突出させ、且つ押込み凸部１８ｃの先端面１８ｄの一部を、流出筒１７ｃの外周面よりも好ましくは径方向外側に配置した状態となっている。
【００３５】
したがって、本第１実施形態の詰替え容器用栓体１０によれば、図２及び図３（ａ）、（ｂ）に示すように、例えば口首部１２を下方に配置した倒立状態で、詰替え容器１１を把持すると共に、流出筒１７ｃの外周面を被詰替え容器１５の口首部１６の内周面に沿わせるようにして、詰替え容器１１に取り付けられた当該栓体１０を被詰替え容器１５に向けて押し込むだけの、一連のワンアクションの簡易な操作、及び簡易な力によって、先端面１８ｄに被詰替え容器１５の口首部１６の端面部が当接した押込み凸部１８ｃを、詰替え容器１１の内部に押し出して、栓蓋１８を装着筒１７ｄから脱落させることで、流出開口１７ｂを容易に開放させることが可能になる。またこれによって、開放させた流出開口１７ｂを介して、詰替え容器１１の詰替え流出口１２ａを被詰替え容器１５の口首部１６に容易に連通させることが可能になると共に、好ましくは外周面を被詰替え容器１５の口首部１６の内周面に沿わせて流出筒１７ｃが被詰替え容器１５の口首部１６に挿入されていることで、詰替え容器１１及び詰替え容器用栓体１０を被詰替え容器１５に対して安定させた状態で、内容液を、詰替え容器１１から詰替え容器用栓体１０に流入させながら容易に且つスムーズに詰め替えさせることが可能になる。
【００３６】
図７（ａ）、（ｂ）は、本発明の好ましい第２実施形態に係る詰替え容器用栓体３０を示すものである。本第２実施形態の詰替え容器用栓体３０は、上記第１実施形態の詰替え容器用栓体１０と略同様の構成を備える一方で、流出筒及びガイト内壁の部分が、上記第１実施形態の詰替え容器用栓体１０のものと相違している。なお、本第２実施形態及び後述する第３本実施形態において、上記第１実施形態の詰替え容器用栓体１０と同様の構成部分については、上記第１実施形態と同様の符号を付して、その説明を省略する。
【００３７】
すなわち、本第２実施形態の詰替え容器用栓体３０では、ガイト内壁は設けられておらず、栓本体１７の天面板１７ａに開口形成された流出開口１７ｂを囲んで天面板１７ａから流出方向外側に突出する流出筒１７ｃ’は、略楕円の中空断面形状を備える筒状部分となっている。
【００３８】
本第２実施形態の詰替え容器用栓体３０によっても、詰替え容器１１に取り付けられた当該栓体３０を被詰替え容器１５に向けて押し込むだけの、一連のワンアクションの簡易な操作によって、押込み凸部１８ｃを詰替え容器１１の内部に押し出して、栓蓋１８を装着筒１７ｄから脱落させることにより、流出開口１７ｂを容易に開放させることが可能になるので、上記第１実施形態の詰替え容器用栓体１０と同様の作用効果が奏される。また、略楕円の中空断面形状を備える流出筒１７ｃ’の、曲率の大きな弧状部分を、被詰替え容器１５の口首部１６の内径と略同様の曲率半径で湾曲させると共に、ガイト外壁２０と対向させて配置し、且つ流出筒１７ｃ’の曲率の大きな弧状部分の外周面と、これと対向するガイト外壁２０の内周形状部分２０ａとの間に、被詰替え容器１５の口首部１６の肉厚よりも僅かに大きな間隔を保持することによって、当該曲率の大きな弧状部分を、ガイト内壁として機能させることが可能になる。
【００３９】
図８（ａ）、（ｂ）は、本発明の好ましい第３実施形態に係る詰替え容器用栓体４０を示すものである。本第３実施形態の詰替え容器用栓体４０は、上記第１実施形態の詰替え容器用栓体１０と略同様の構成を備える一方で、流出筒及び挿通口の部分が、上記第１実施形態の詰替え容器用栓体１０のものと相違している。また、本第３実施形態の詰替え容器用栓体４０では、ガイト外壁及びガイト内壁は、いずれも設けられておらず、栓蓋の装着壁面部及び閉塞板部の部分が、上記第１実施形態の詰替え容器用栓体１０のものと相違している。
【００４０】
すなわち、本第３実施形態の詰替え容器用栓体４０では、栓本体１７の天面板１７ａに開口形成された流出開口１７ｂを囲んで天面板１７ａから流出方向外側に突出する流出筒１７ｃ”は、括れ部２４を有する中空断面形状の筒状部分となっており、栓蓋１８”の押込み凸部１８ｃ”が挿通される挿通口１９”は、流出開口１７ｂと連続することなく、括れ部２４の部分において、流出筒１７ｃ”の径方向外側に隣接して開口形成されている。また、栓蓋１８”は、これの装着壁面部１８ａ”が中空の筒形状を有しており、これの閉塞板部１８ｂ”が装着壁面部１８ａ”の流出方向内側の部分を閉塞していることで、装着壁面部１８ａ”及び閉塞板部１８ｂ”は、流出方向外側に向って開口する凹形状を形成している。
【００４１】
本第３実施形態の詰替え容器用栓体４０によっても、詰替え容器１１に取り付けられた当該栓体４０を被詰替え容器１５に向けて押し込むだけの、一連のワンアクションの簡易な操作によって、押込み凸部１８ｃ”を詰替え容器１１の内部に押し出して、栓蓋１８”を装着筒１７ｄから脱落させることにより、流出開口１７ｂを容易に開放させることが可能になるので、上記第１実施形態の詰替え容器用栓体１０と同様の作用効果が奏される。また、栓蓋１８”の装着壁面部１８ａ”及び閉塞板部１８ｂ”は、流出方向外側に向って開口する凹形状を形成しているので、栓蓋１８’が詰め替え容器１１の内部に押し出された際、閉塞板部１８ｂ’の凹形状に空気をかかえこむため、内容液による浮力の作用だけでなく空気による浮力の作用によっても上方に移動しようとするので、内容液の流出が阻害されるのを、より効果的に回避することが可能になる。
【００４２】
なお、本発明は上記各実施形態に限定されることなく種々の変更が可能である。例えば、詰替え容器用栓体を用いて詰替え容器から被詰替え容器に詰め替えられる内容物は、液体洗剤等の内容液である必要は必ずしもなく、粉粒物等の流動性を有するその他の内容物であっても良い。また、詰替え容器用栓体は、ボトル形状の詰替え容器の口首部に取り付けて用いる必要は必ずしも無く、パウチやガセット袋等の、その他の軟包材によって形成された種々の詰替え容器の詰替え流出口を覆って取り付けて用いることもできる。詰替え容器には、口首部が設けられていなくても良い。さらに、詰替え容器用栓体は、固定スカート部を介すること無く、シール接合等によって詰替え流出口を覆って詰替え容器に一体として取り付けることもできる。
【００４３】
また、流出筒や装着筒は、円形や楕円以外の中空断面形状を有する筒状部分となっていても良く、栓本体の流出開口や栓蓋の閉塞板部は、円形の平面形状を備えていなくても良い。栓蓋の装着壁面部は、中空の筒形状を有している必要はなく、例えば閉塞板部を肉厚に形成して、外周面を装着筒の内周面に密着させることで、閉塞板部に装着壁面部としての機能を持たせるようにしても良い。閉塞板部の周縁部分から立設する押込み凸部は、４角柱部分である必要は必ずしも無く、その他の形状の柱状部分や筒状部分であっても良い。さらに、図９に示すように、栓本体の天面板と固定スカート部とは、これらの中心位置をずらせた状態で形成することもできる。天面板の形状も必ずしも円形である必要はなく、矩形等の任意の形状となっていて良い。
【００４４】
さらにまた、図１０に示すように、流出筒５１の内側の領域において、流出開口５２の開口周縁部に連続して、或いは流出開口５２に隣接して、栓蓋５３の押込み凸部５４を挿通させる挿通口５５が形成されていることで、流出筒５１が、挿通口５５よりも径方向外側に設置されている詰替え容器用栓体５０とすることもできる。図１０に示す詰替え容器用栓体５０によれば、例えば口首部の外径が流出筒５１の内径と略同様となっている被詰替え容器に対して内容液の詰め替えを行う際に、詰替え容器に取り付けられた当該栓体５０を被詰替え容器に向けて押し込むだけの、一連のワンアクションの簡易な操作によって、流出開口５２を容易に開放させることが可能になって、上記第１実施形態の詰替え容器用栓体１０と同様の作用効果が奏される。
【００４５】
上記各実施形態において、図１１（ａ）、（ｂ）に示すように、ガイト外壁２０の内側面から内側に突出させて、好ましくは傾斜する内側面を備える位置矯正リブ９０を設けておくこともできる。詰替え容器用栓体１０を被詰替え容器の口首部に位置決めして押し込む際に、位置矯正リブ９０の例えば傾斜面を口首部の外周面に乗り上げさせることによって、流出筒１７ｃに沿って突出させた栓蓋１８の押込み凸部１８ｃを、口首部１６の先端側に誘導することが可能になる。これによって、栓蓋１８の押込み凸部１８ｃを口首部の先端に確実に当接させて、栓蓋１８を装着筒１７ｄから脱落させることで、流出開口をさらに容易に開放させることが可能になる。
【００４６】
また、図１２及び図１３に示すように、位置矯正リブ９０を挟んだ両側の部分に、切り込み９１を設けることによって、位置矯正リブ９０を、栓本体１７の天面板１７ａから板バネ状に立設させた状態で設けることもできる。これによって、例えば被詰替え容器の口首部の外周面に雄ネジ凸条が形成されていて、位置矯正リブ９０と干渉し易くなっている場合でも、位置矯正リブ９０を外側に弾性変形させることで、干渉を回避することが可能になる。また位置矯正リブ９０が外側に弾性変形することで、内側への弾性付勢力が生じるので、押込み凸部１８ｃを、被詰替え容器の口首部の先端側に正確に誘導することが可能になる。これらによって、よりスムーズに詰め替え操作を行うことが可能になる。
【符号の説明】
【００４７】
１０，３０，４０  詰替え容器用栓体
１１  詰替え容器
１２  詰替え容器の口首部
１２ａ  詰替え流出口
１５  被詰替え容器
１６  被詰替え容器の口首部
１７  栓本体
１７ａ  天面板
１７ｂ  流出開口
１７ｃ，１７ｃ’，１７ｃ”  流出筒
１７ｄ  装着筒
１８，１８”  栓蓋
１８ａ，１８ａ”  装着壁面部
１８ｂ，１８ｂ”  閉塞板部
１８ｃ，１８ｃ”  押込み凸部
１８ｄ  押込み凸部の先端面
１９，１９”  挿通口
２０  ガイト外壁
２０ａ  内周形状部分
２１  ガイト内壁
２１ａ  外周形状部分
２１ｂ  分断部
２２  固定スカート部
２３  分断部
２４  括れ部
９０  位置矯正リブ
９１  切り込み
【図１】
2014129140.tif 000003
【図２】
2014129140.tif 000004
【図３】
2014129140.tif 000005
【図４】
2014129140.tif 000006
【図５】
2014129140.tif 000007
【図６】
2014129140.tif 000008
【図７】
2014129140.tif 000009
【図８】
2014129140.tif 000010
【図９】
2014129140.tif 000011
【図１０】
2014129140.tif 000012
【図１１】
2014129140.tif 000013
【図１２】
2014129140.tif 000014
【図１３】
2014129140.tif 000015